(57)【要約】【課題】読取った記録媒体の関連情報の取捨選択の判断を自動的に行い、記憶手段を効率的に使用することが可能な記録媒体読取装置を提供する。【解決手段】ナビゲーション装置１００に、ＢＤに記録されている情報を読取ることが可能なＢＤデッキ３６と、ＢＤから読取った読取情報に関連する関連情報を、サーバ機器３から取得可能な通信部３１および通信アンテナ３１ａ、ならびに外部メモリ５から取得可能な外部メモリ読取部３７と、取得した関連情報を記憶することが可能なＨＤＤ３８と、ＨＤＤ３８に記憶されている関連情報を変更することが可能であり、また、関連情報をＨＤＤ３８に記憶するか否かの判断、およびＨＤＤ３８に記憶されている関連情報を変更するか否かの判断の少なくとも一方の判断を行うことが可能であるＡＶ側制御ユニット２とを設ける。【選択図】図１
2010154136.tif 000002
【特許請求の範囲】
【請求項１】
情報が記録された記録媒体から情報を読取る記録媒体読取手段と、
前記記録媒体読取手段により読取られた読取情報に関連する関連情報を取得する関連情報取得手段と、
前記関連情報取得手段により取得された関連情報を記憶する不揮発性の記憶手段と、
前記記憶手段に記憶されている関連情報を変更する関連情報変更手段と、
前記関連情報取得手段により取得された関連情報を前記記憶手段に記憶するか否かの判断、および前記関連情報変更手段により関連情報を変更するか否かの判断の少なくとも一方の判断を行う判断手段とを備えることを特徴とする記録媒体読取装置。
【請求項２】
記録媒体読取装置の現在位置を表す現在位置情報を取得する現在位置情報取得手段を備え、
前記判断手段は、関連情報を記憶するか否かの判断、および関連情報を変更するか否かの判断の少なくとも一方の判断を、前記現在位置情報を用いて判断することを特徴とする請求項１に記載の記録媒体読取装置。
【請求項３】
前記関連情報取得手段は、関連情報の取得を行う前に、関連情報の有無の確認が可能であり、前記現在位置情報の変更時を始点とする、関連情報の有無の確認を開始することが可能な手段であることを特徴とする請求項２に記載の記録媒体読取装置。
【請求項４】
ユーザにより目的地情報を入力可能な目的地入力手段を備え、
前記判断手段は、関連情報を記憶するか否かの判断、および前記記憶手段に記憶されている関連情報を変更するか否かの判断の少なくとも一方の判断を、前記ユーザによって入力された目的地情報を用いて判断することを特徴とする請求項１〜３のいずれか１つに記載の記録媒体読取装置。
【発明の詳細な説明】
【技術分野】
【０００１】
本発明は、読取った記録媒体に関連する情報を記憶することが可能な記録媒体読取装置に関する。
【背景技術】
【０００２】
ＣＤ（Compact Disc）プレイヤおよびＤＶＤ（Digital Versatile Disc）プレイヤなどの記録媒体読取装置は、一般に広く普及している。これらの記録媒体読取装置は、ＣＤおよびＤＶＤ等の記録媒体を読取って、ＣＤおよびＤＶＤ等に記録されている映像および音楽等を再生する再生機能を備えている。近年の記録媒体読取装置は、再生機能以外にも、ユーザの設定等を記憶する記憶機能も備えている。そのような記憶機能は、記録媒体読取装置に含まれる不揮発性の記憶手段によって行われる。この不揮発性の記憶手段にはユーザの設定以外も記憶することが可能である。たとえば特許文献１には、記録媒体に記録されているコンテンツのアップデートファイルを記憶することが可能な装置が記載されている。特許文献１に記載の装置は、インターネットと接続されており、ユーザからの指示によって、インターネットを介してサーバからアップデートファイルをダウンロードして、不揮発性の記憶手段に記憶する。
【０００３】
【特許文献１】特開２００５−１５９５８９号公報
【発明の開示】
【発明が解決しようとする課題】
【０００４】
しかしながら、特許文献１に記載の装置では、どのアップデートファイルをダウンロードするかの判断をユーザ自身がする必要がある。また、記憶手段の記憶容量には限りがあるので、情報の取捨選択を行わずに全てのアップデートファイルをダウンロードしていては、新たなアップデートファイルを記憶することができなくなる。
【０００５】
本発明は、上述した問題を解消するためになされたものであって、読取った記録媒体の関連情報の取捨選択の判断を自動的に行い、記憶手段を効率的に使用することが可能な記録媒体読取装置を提供することを目的とする。
【課題を解決するための手段】
【０００６】
本発明（１）は、情報が記録された記録媒体から情報を読取る記録媒体読取手段と、
前記記録媒体読取手段により読取られた読取情報に関連する関連情報を取得する関連情報取得手段と、
前記関連情報取得手段により取得された関連情報を記憶する不揮発性の記憶手段と、
前記記憶手段に記憶されている関連情報を変更する関連情報変更手段と、
前記関連情報取得手段により取得された関連情報を前記記憶手段に記憶するか否かの判断、および前記関連情報変更手段により関連情報を変更するか否かの判断の少なくとも一方の判断を行う判断手段とを備えることを特徴とする記録媒体読取装置である。
【発明の効果】
【０００７】
本発明（１）によれば、前記記録媒体読取手段によって読取られた記録媒体に関連する関連情報を、外部記憶手段から取得し、不揮発性の記憶手段に記憶することができる。また、前記記憶手段に記憶されている関連情報に対して、削除および更新等の、変更を行うことができる。また、関連情報を前記記憶手段に記憶するか否かの判断、および前記記憶手段に記憶されている関連情報を変更するか否かの判断の少なくとも一方の判断を行うことができる。したがって、前記記録媒体読取装置によれば、ユーザが直接判断を行わなくても、関連情報の記憶の判断、または記憶されている関連情報の削除の判断もしくは更新の判断が自動的に行われるので、前記記憶手段を効率的に使用することが可能である。また、前記判断手段によって、記憶または更新を行わないと判断したときに、関連情報の記憶または記憶されている関連情報の更新を行わない記録媒体読取装置の場合には、前記関連情報取得手段および前記記憶手段にかかる負荷を軽減することが可能である。
【発明を実施するための最良の形態】
【０００８】
以下に、本発明を実施するための複数の形態について説明する。以下の説明において、先行する形態で説明している事項に対応する部分については同一の参照符号を付し、重複する説明を略する場合がある。構成の一部のみを説明している場合、構成の他の部分は、先行して説明している形態と同様とする。以下に説明する各実施形態の記録媒体読取装置（以下「ナビゲーション装置」と称する場合がある）は、たとえばバッテリ電圧が１２ボルトの乗用車に好適に搭載される。ただし適用車両は、乗用車に限定されるものではなく、たとえばバッテリ電圧が２４ボルトの運輸トラックおよびバスに搭載されてもよい。以下に説明する本発明の実施形態は、上記の乗用車に搭載されているものとする。
【０００９】
図１は、本発明の第１実施形態であるナビゲーション装置１００の電気的構成を模式的に示すブロック図である。ナビゲーション装置１００は、ナビゲーション機能（以下「ナビ機能」と略称する場合がある）を発揮するためのナビゲーション側制御ユニット１と、ＡＶ（Audio Visual）機能を発揮するためのＡＶ側制御ユニット２と、ナビ機能およびＡＶ機能の両方に用いられる各部材３０〜３８とを備えている。
【００１０】
ナビ機能とは、道路地図などの地図情報に基づいて、ユーザによって設定される出発地から、ユーザによって設定される目的地までの経路を探索し、探索された経路に沿って車両が走行するように、車両の現在位置を表す自車位置および地図を表示して、運転支援のための経路案内を行う機能である。
【００１１】
ＡＶ機能とは、映像および音楽などのＡＶ情報に基づいて、文字もしくは画像の表示、または音の再生などを同時にまたは独立して行う機能である。
【００１２】
以下では、ナビゲーション側制御ユニット１、ＡＶ側制御ユニット２、および各部材３０〜３８について説明する。各部材３０〜３８については、ナビ機能およびＡＶ機能の両方の観点から説明する。初めに、ナビ機能に沿って、ナビゲーション側制御ユニット１および各部材３０〜３８について説明する。
【００１３】
ナビゲーション側制御ユニット１は、ナビゲーション側制御部（以下「ナビ側制御部」と称する）１０、ナビゲーション側ＲＡＭ（Random Access Memory）（以下「ナビ側ＲＡＭ」と称する）１１、およびナビゲーション側ＲＯＭ（Read Only Memory）（以下「ナビ側ＲＯＭ」と称する）１２を含む。またナビゲーション側制御ユニット１は、ＧＰＳ（
Global Positioning System）レシーバ３０、通信部３１、操作部３２、マイク３３、表示部３４、スピーカ３５、ＢＤ（Blu-ray Disk）デッキ３６、外部メモリ読取部３７、およびＨＤＤ（ハードディスクドライブ）３８とそれぞれ電気的に接続される。さらに具体的に述べると、各部材３０〜３８とナビ側制御部１０とが、それぞれ電気的に接続されている。
【００１４】
ＧＰＳレシーバ３０は、ＧＰＳアンテナ３０ａを介して、不図示のＧＰＳ用衛星から送信された複数の電波信号を受信する。ＧＰＳレシーバ３０は、受信した複数の電波信号をナビ側制御部１０に対して出力する。
【００１５】
通信部３１には、通信アンテナ３１ａが電気的に接続されている。通信部３１は、ナビ側制御部１０から入力された情報を無線電波信号に変換し、通信アンテナ３１ａおよび不図示の通信基地局を介して、サーバ機器３（図２および図３）に送信する。また通信部３１は、通信基地局および通信アンテナ３１ａを介して、サーバ機器３から送信される無線電波信号を受信し、受信した無線電波信号をナビ側制御部１０が読取り可能な情報に変換して、その変換した情報をナビ側制御部１０に対して出力する。
【００１６】
操作部３２は、ユーザが操作して所定の情報を入力するためのナビゲーション側操作スイッチを含む。ナビゲーション側操作スイッチは、ユーザによって操作されるスイッチであって、道路地図などの地図情報に基づいて自車位置および地図を表示させて経路案内をさせるためのスイッチである。ユーザによって、ナビゲーション側操作スイッチが操作されると、操作部３２は、ナビゲーション装置１００への指示情報など、操作に応じた情報を表す信号を生成してナビ側制御部１０に対して出力する。
【００１７】
マイク３３には、たとえばユーザによって発せられる音声が入力される。マイク３３に入力された音声を表す音声情報は、たとえば車両の運転支援のための経路案内処理を行うための予め定める音声情報等であり、ナビ側制御部１０に対して出力される。
【００１８】
表示部３４は、たとえばカラー表示可能な液晶ディスプレイ（略称：ＬＣＤ）によって実現され、ナビ側制御部１０から入力される指令に従って所定の文字および画像の少なくとも一方を表示する。表示部３４に表示される画像は、たとえば道路地図、車両の位置、運転支援のための経路案内、および観光案内を表す画像などである。
【００１９】
スピーカ３５は、ナビ側制御部１０に電気的に接続され、ナビ側制御部１０から入力される電気信号を音響化して音声を出力する。スピーカ３５は、ナビ側ＲＯＭ１２に記憶されている予め定める音声、具体的にはビープ音および合成音声などを出力する。
【００２０】
ＢＤデッキ３６は、記録媒体の１つであるＢＤに記憶されている情報を読取り、読取った情報をナビ側制御部１０に対して出力する。ＢＤデッキは、ＢＤ以外の記録媒体であるＣＤおよびＤＶＤを読取ることが可能なマルチデッキであってもよい。たとえば、ＢＤデッキ３６は、ＨＤＤ３８に記憶されている地図情報を更新するためのＢＤ（以下「更新用ＢＤ」と称する場合がある）を読取り、読取った情報をナビ側制御部１０に対して出力する。
【００２１】
外部メモリ読取部３７は、外部記憶手段である外部メモリ５（図２）を挿入することが可能であり、挿入された外部メモリ５に記録されている情報を読取り、読取った情報をナビ側制御部１０に対して出力する。外部メモリ読取部３７に挿抜可能な外部メモリ５は、具体的には不揮発性メモリであるコンパクトフラッシュ（登録商標）カード（以下「ＣＦカード」と称する場合がある）、ＳＤ（Secure Digital）メモリカード、メモリスティックおよびスマートメディアなどである。ＣＦカードは、通電しなくても記憶が消えないフラッシュメモリと、外部との入出力を受け持つコントローラ回路とが電気的に接続されたものである。
【００２２】
ＨＤＤ３８は、経路案内をするための地図情報を記憶するとともに、後述するように、サーバ機器３から送信される関連情報、および外部メモリ５から出力される関連情報などを記憶する。地図情報は、線に関するリンク情報および点に関するノード情報を含む。道路は、１または複数のリンクを順次連結して表され、リンクの端点がノードとなる。リンク情報は、たとえばリンクの長さ寸法、ならびに有料道路、高速道路、および一般道路などの道路種別を含む。ノード情報は各ノードの座標情報を含む。上記関連情報については後述する。
【００２３】
ナビ側ＲＯＭ１２は、たとえばフラッシュＲＯＭによって実現される。ナビ側ＲＯＭ１２は、各部材３０〜３８を統括的に制御してナビ機能を発揮するための制御プログラム、および予め定める音声を記憶する。予め定める音声とは、たとえば運転支援のための経路案内を行うときにスピーカ３５から出力させるビープ音および合成音声などである。
【００２４】
ナビ側ＲＡＭ１１は、たとえばＳＤ（Synchronous Dynamic）−ＲＡＭによって実現される。ナビ側ＲＡＭ１１は、リングバッファ構造によって構成されており、日時が最も古い情報から順次最新の情報に書き換えるようになっている。ナビ側ＲＡＭ１１は、ナビ側制御部１０によって測定される車両の位置情報などを一時的に記憶する。
【００２５】
ナビ側制御部１０は、ＣＰＵ（Central Processing Unit）などの処理回路によって実現される。ナビ側制御部１０は、ＧＰＳレシーバ３０から入力された複数の電波信号に基づいて、車両の現在位置を表す自車位置を測定する。また、ナビ側制御部１０は、経路案内処理、具体的にはＨＤＤ３８によって記憶された地図情報を読出して、ユーザによって設定される出発地から、ユーザによって設定される目的地までの経路を探索し、探索された経路に沿って車両が走行するように、車両の現在位置を表す自車位置およびその周辺の地図などを表示部３４に表示して経路案内を行う。
【００２６】
また、ナビ側制御部１０は、ＢＤデッキ３６から入力された更新用ＢＤの情報に基づいて、新たな地図情報をＨＤＤ３８に記憶させることもできる。
【００２７】
次に、ＡＶ機能に沿って、ＡＶ側制御ユニット２および各部材３０〜３８について説明する。
【００２８】
ＡＶ側制御ユニット２は、ＡＶ側制御部２０、ＡＶ側ＲＡＭ２１、およびＡＶ側ＲＯＭ２２を含む。またＡＶ側制御ユニット２は、ＧＰＳレシーバ３０、通信部３１、操作部３２、マイク３３、表示部３４、スピーカ３５、ＢＤデッキ３６、外部メモリ読取部３７、およびＨＤＤ３８とそれぞれ電気的に接続される。さらに具体的に述べると、各部材３０〜３８とＡＶ側制御部２０とが、それぞれ電気的に接続されている。
【００２９】
ＧＰＳレシーバ３０は、ＧＰＳアンテナ３０ａを介して、不図示のＧＰＳ用衛星から送信された複数の電波信号を受信する。ＧＰＳレシーバ３０は、受信した複数の電波信号をＡＶ側制御部２０に対して出力する。
【００３０】
通信部３１には、通信アンテナ３１ａが電気的に接続されている。通信部３１は、ＡＶ側制御部２０から入力された情報を無線電波信号に変換し、通信アンテナ３１ａおよび不図示の通信基地局を介して、サーバ機器３に送信する。また通信部３１は、通信基地局および通信アンテナ３１ａを介して、サーバ機器３から送信される無線電波信号を受信し、受信した無線電波信号をＡＶ側制御部２０が読取り可能な情報に変換して、その変換した情報をＡＶ側制御部２０に対して出力する。
【００３１】
操作部３２は、ユーザが操作して所定の情報を入力するためのＡＶ側操作スイッチを含む。ＡＶ側操作スイッチは、映像および音楽などのＡＶ情報を表示させたり、変更させたりするために、ユーザによって操作されるスイッチである。ユーザによって、ＡＶ側操作スイッチが操作されると、操作部３２は、ナビゲーション装置１００への指示情報など、操作に応じた情報を表す信号を生成してＡＶ側制御部２０に対して出力する。
【００３２】
マイク３３には、たとえばユーザによって発せられる音声が入力される。マイク３３に入力された音声を表す音声情報は、ＡＶ側制御部２０に対して出力される。
【００３３】
表示部３４は、ＡＶ側制御部２０から入力される指令に従って所定の文字および画像の少なくとも一方を表示する。表示部３４に表示される画像は、たとえばＢＤデッキ３６によってＢＤから読取られたＡＶ情報中の画像などである。
【００３４】
スピーカ３５は、ＡＶ側制御部２０に電気的に接続され、ＡＶ側制御部２０から入力される電気信号を音響化して出力する。スピーカ３５は、たとえば、ＢＤデッキ３６によってＢＤから読取られたＡＶ情報中の音を出力する。
【００３５】
ＢＤデッキ３６は、ＢＤに記憶されている情報を読取り、読取った情報をＡＶ側制御部２０に対して出力する。たとえば、ＢＤデッキ３６は、映像および音楽などが記憶されているＢＤを読取り、読取った情報をＡＶ側制御部２０に対して出力する。
【００３６】
外部メモリ読取部３７は、挿入された外部メモリ５に記録されている情報を読取り、読取った情報をＡＶ側制御部２０に対して出力する。
【００３７】
ＨＤＤ３８は、ユーザによって選択されたＡＶ情報を記憶するとともに、後述するように、サーバ機器３から送信される関連情報、および外部メモリから出力される関連情報などを記憶する。ＡＶ情報は、文字、画像、および音、ならびにそれらの中から選ばれたいくつかの組合せである。上記関連情報については後述する。
【００３８】
ＡＶ側ＲＯＭ２２は、たとえばフラッシュＲＯＭによって実現される。ＡＶ側ＲＯＭ２２は、各部材３０〜３８を統括的に制御してＡＶ機能を発揮するための制御プログラム、および後述する関連情報記憶プログラムを記憶する。
【００３９】
ＡＶ側ＲＡＭ２１は、たとえばＳＤ−ＲＡＭによって実現される。ＡＶ側ＲＡＭ２１は、リングバッファ構造によって構成されており、日時が最も古い情報から順次最新の情報に書き換えるようになっている。ＡＶ側ＲＡＭ２１は、ＡＶ側制御部２０から入力されたＡＶ情報などを一時的に記憶する。
【００４０】
ＡＶ側制御部２０は、ＣＰＵなどの処理回路によって実現される。ＡＶ側制御部２０は、映像および音楽などのＡＶ情報に基づいて、文字もしくは画像の表示、または音の再生などを同時にまたは独立して行う。
【００４１】
本実施形態では、ナビゲーション側制御ユニット１の処理の高速化および負担の軽減のために、ＡＶ情報の制御および後述する関連情報記憶処理は、ＡＶ側制御ユニット２で行なうけれども、１つの実施形態中に必ずしも２つの制御ユニットが存在する必要はない。
【００４２】
上記のナビゲーション装置１００は、ＢＤデッキ３６に挿入されているＢＤから読取った情報に関連する情報（以下、「ＢＤの関連情報」または単に「関連情報」と称する場合がある）を、ＨＤＤ３８に記憶させることができる。関連情報は、サーバ機器３、または外部メモリ読取部３７に挿入されている外部メモリ５から取得される。
【００４３】
関連情報の記憶、削除および更新を行う処理である関連情報記憶処理は、ＡＶ側ＲＯＭ２２に記憶されている関連情報記憶プログラムが実行されることによって、ＡＶ側制御ユニット２およびＢＤデッキ３６を、記録媒体を読取る記録媒体読取手段として、ＡＶ側制御ユニット２および通信部３１、またはＡＶ側制御ユニット２および外部メモリ読取部３７を、関連情報を取得する関連情報取得手段として、ＨＤＤ３８を、関連情報を記憶する不揮発性の記憶手段として、ＡＶ側制御ユニット２を、関連情報を変更する関連情報変更手段として、ならびに関連情報の記憶を行うか否かおよび関連情報の変更を行うか否かを判断する判断手段として、表示部３４およびスピーカ３５の少なくとも一方を、ユーザに対して通知を行う通知手段として、通信部３１および通信アンテナ３１ａを、サーバ機器３との通信を行う通信手段として、ＡＶ側制御ユニット２および外部メモリ読取部３７を、外部メモリ５を読取る外部記憶手段読取手段として、操作部３２およびマイク３３の少なくとも一方を、ユーザによる関連情報取得指示を入力するための指示入力手段として、およびユーザによる目的地を入力するための目的地入力手段として、ＧＰＳレシーバ３０およびＧＰＳアンテナ３０ａを自車位置の情報を取得する現在位置情報取得手段として、それぞれ機能させて行われる。
【００４４】
以下では、ナビゲーション装置１００の関連情報記憶処理を、図２〜図４を用いて説明する。図２は、関連情報がどのように記憶されるかを簡略的に示す図である。図２に示すようにサーバ機器３から送信された関連情報８ｄは、ナビゲーション装置１００に直接受信されるか、ＰＣ（Personal Computer）４に受信され、外部メモリ５を介して、ナビゲーション装置１００に入力される。ＨＤＤ３８には以前に読取ったＢＤ６ａ〜６ｄを示す情報７ａ〜７ｄが記憶されており、ＢＤ６ａ〜６ｃを示す情報７ａ〜７ｃと、以前に記憶した関連情報８ａ〜８ｃとがそれぞれ関連付けられて記憶されている。図２に示すように、新たに取得された関連情報８ｄは、ＢＤ６ｄを示す情報７ｄと関連付けられてＨＤＤ３８に記憶される。
【００４５】
上記のような関連情報の記憶は、関連情報記憶トリガの認識によって開始される。すなわち、ナビゲーション装置１００は、関連情報記憶トリガを認識することによって、ＨＤＤ３８に記憶されている、読取りを行なったＢＤの情報から、そのＢＤの関連情報がサーバ機器３および外部メモリ５に存在するか否かを確認し、関連情報が存在する場合にはその関連情報をＨＤＤ３８に記憶させる。
【００４６】
関連情報記憶トリガには以下のようなものがある。たとえば、ユーザによる操作部３２を介した操作、またはユーザによるマイク３３を介した特定の音声の入力などの、ユーザの直接の操作による関連情報取得指示入力である。また、たとえば、ＢＤデッキ３６によるＢＤ読取開始時、たとえばＢＤのシリアルナンバーの読取時など、またはＢＤデッキ３６によるＢＤ読取中、たとえば特定の文字、画像、および音の、読取時または表示部３４もしくはスピーカ３５による出力時など、またはＧＰＳアンテナ３０ａを用いて測定される自車位置を表す情報の変更時、たとえば自車位置が存在する市もしくは都道府県などのエリアの変更時、または自車位置の特定距離の移動時などの、ユーザの間接の操作によるものである。
【００４７】
上記のトリガにおける、特定の音声、特定の文字、画像、および音、ならびに特定距離は、ユーザによって設定することが可能である。たとえば、特定距離を５０ｋｍ〜１００ｋｍの範囲から選択し、自車位置がその特定距離移動することを関連情報記憶トリガとすることができる。また、関連情報記憶トリガは、上記のトリガの中から複数選んで設定することも可能である。このような設定は、関連情報の記憶に関する設定情報として、ＨＤＤ３８に記憶できる。また、以下において説明する各種の設定も関連情報の記憶に関する設定情報として、ＨＤＤ３８に記憶できる。
【００４８】
また図３に示すように、ナビゲーション装置１００は、関連情報を取捨選択して記憶することが可能である。図３に示す車両９は、ナビゲーション装置１００を備えており、ＢＤデッキ３６には、ＢＤ６ｆが挿入され読取中である。またＢＤデッキ３６では、以前にＢＤ６ｅが読取られたことがある。よってＨＤＤ３８には、ＢＤ６ｅを示す情報およびＢＤ６ｆを示す情報が記憶されている。またＨＤＤ３８には、ＢＤ６ｅを示す情報と関連付けられて、ａエリアに関する関連情報８０ａｅが記憶されている。関連情報８０ａｅは、ＢＤ６ｅの関連情報８ｅの１つである。ＢＤ６ｆを示す情報と関連付けられて、ａエリアに関する関連情報８０ａｆと、ｂエリアに関する関連情報８０ｂｆと、ｃエリアに関する関連情報８０ｃｆとが記憶されている。関連情報８０ａｆ，８０ｂｆ，８０ｃｆはそれぞれ、ＢＤ６ｆの関連情報８ｆの１つである。
【００４９】
またナビゲーション装置１００に備えられるＧＰＳアンテナ３０ａから、車両９の位置がｂエリア内であることがナビ側ＲＡＭ１１に記憶されている。また、図３に示すサーバ機器３には、ａエリアに関する関連情報８１ａｅが記憶されている。関連情報８１ａｅは、ＢＤ６ｅの関連情報８ｅの１つである。またサーバ機器３には、ａエリアに関する関連情報８１ａｆ、ｂエリアに関する関連情報８１ｂｆ、およびｃエリアに関する関連情報８１ｃｆが記憶されている。関連情報８１ａｆ，８１ｂｆ，８１ｃｆはそれぞれ、ＢＤ６ｆの関連情報８ｆの１つである。
【００５０】
図３に示す状態で関連情報記憶トリガが認識された場合に、ナビゲーション装置１００は、ｂエリアに関する関連情報８１ｂｆのみを記憶させることが可能である。すなわち、ナビゲーション装置１００は、読取中のＢＤ６ｆの関連情報であって、車両９が存在するｂエリアに関する情報である、関連情報８１ｂｆをＨＤＤ３８に記憶する。図３に示すように、関連情報８０ｂｆと、関連情報８１ｂｆとがバージョンの異なる関連情報である場合には、関連情報８０ｂｆが削除されて、関連情報８１ｂｆが記憶される。すなわち、関連情報８０ｂｆが更新されて、関連情報８１ｂｆとなる。
【００５１】
また図３に示すように、ナビゲーション装置１００は、読取中のＢＤ６ｆの関連情報であって、車両９が存在しないａエリアまたはｃエリアに関する情報である、関連情報８０ａｆ，８０ｃｆをＨＤＤ３８から削除することも可能である。
【００５２】
このように、ナビゲーション装置１００は、関連情報を記憶させたり、変更（削除または更新）させたりすることができる。また、このような関連情報の記憶および変更は、図３に示す例に限られない。
【００５３】
たとえば、映画等を記録したＢＤの読取中の場合、「自車位置を表す情報を用いずに、読取中のＢＤから読取った情報に関連する情報を記憶する」ように設定しておくことで、そのＢＤの関連情報（特典映像、またはそのＢＤに含まれる特典映像を視聴するためのパスワードなど）を取得し、ＨＤＤ３８に記憶させることができる。また、読取中ではないＢＤの関連情報がＨＤＤ３８に記憶されていれば削除することもできる。
【００５４】
また、映画等を記録したＢＤの読取後の場合に、「以前にＢＤから読取った情報に関連する情報であって、自車位置を表す情報に関連する情報を記憶する」ように設定しておくことで、そのＢＤの関連情報（その映画を上映中の自車位置周辺の映画館、ならびにその映画館周辺の飲食店および駐車エリアの情報など）を、ＨＤＤ３８に記憶させることも可能である。また、以前にＢＤから読取った情報に関連する情報であって、自車位置を表す情報に関連しない情報がＨＤＤ３８に記憶されていれば削除することもできる。
【００５５】
また、映画等を記録したＢＤの読取後の場合に、「以前にＢＤから読取った情報に関連する情報であって、ユーザによって入力された目的地情報に関連する情報を記憶する」ように設定しておくことで、そのＢＤの関連情報（その映画を上映中の目的地周辺の映画館、ならびにその映画館周辺の飲食店および駐車エリアの情報など）を、ＨＤＤ３８に記憶させることも可能であり、その場合には、ＧＰＳレシーバ３０およびＧＰＳアンテナ３０ａを用いる必要はない。また、以前にＢＤから読取った情報に関連する情報であって、ユーザによって入力された目的地情報に関連しない情報がＨＤＤ３８に記憶されていれば削除することもできる。
【００５６】
また、たとえば、更新用ＢＤの読取中の場合、「自車位置を表す情報を用いずに、読取中のＢＤから読取った情報に関連する情報を記憶する」ように設定しておくことで、そのＢＤの関連情報（追加言語対応用プログラムなど）を取得し、ＨＤＤ３８に記憶させることができる。また、読取中ではないＢＤの関連情報がＨＤＤ３８に記憶されていれば削除することもできる。
【００５７】
また、更新用ＢＤの読取後の場合に、「以前にＢＤから読取った情報に関連する情報であって、自車位置を表す情報に関連する情報を記憶する」ように設定しておくことで、そのＢＤの関連情報（自車位置周辺の、更新地図情報、最新の飲食店地図情報、およびレジャー地図情報等）を、ＨＤＤ３８に記憶させることも可能である。また、以前にＢＤから読取った情報に関連する情報であって、自車位置を表す情報に関連しない情報がＨＤＤ３８に記憶されていれば削除することもできる。
【００５８】
また、更新用ＢＤの読取後の場合に、「以前にＢＤから読取った情報に関連する情報であって、ユーザによって入力された目的地情報に関連する情報を記憶する」ように設定しておくことで、そのＢＤの関連情報（目的地周辺の、更新地図情報、最新の飲食店地図情報、およびレジャー地図情報等）を、ＨＤＤ３８に記憶させることも可能であり、その場合には、ＧＰＳレシーバ３０およびＧＰＳアンテナ３０ａを用いる必要はない。また、以前にＢＤから読取った情報に関連する情報であって、ユーザによって入力された目的地情報に関連しない情報がＨＤＤ３８に記憶されていれば削除することもできる。
【００５９】
上述したように、ナビゲーション装置１００は、ＢＤを読取中であるか否かの情報、自車位置を表す情報、および目的地情報の少なくとも１つの情報から、ＨＤＤ３８に記憶させる関連情報と、ＨＤＤ３８に記憶させない関連情報とを判断することが可能である。どの情報を用いて判断を行うかは、ユーザによって設定することができる。また、自車位置および目的地の少なくとも一方の周辺エリアに関する関連情報を記憶させる場合には、周辺エリアを市および都道府県などの領域で設定したり、自車位置または目的地から一定の距離の領域に設定したりできる。
【００６０】
このように、ナビゲーション装置１００は、ＢＤの関連情報のうち、記憶すべき関連情報であると判断された関連情報のみをＨＤＤ３８に記憶させるので、ＨＤＤ３８が使用する記憶領域を少なくすることができる。また、関連情報の取得の機会を減少させることができるので、関連情報の取得に伴う、ＡＶ側制御ユニット２、通信部３１、および外部メモリ読取部３７の負荷を軽減することができる。
【００６１】
図４は、ナビゲーション装置１００の、上述した関連情報記憶処理を表すフローチャートである。ナビゲーション装置１００は、上記の関連情報記憶トリガを認識する（ステップＳ１）と、関連情報の有無の確認を行う（ステップＳ２）。有無の確認が行われるのは、ナビゲーション装置１００によって、記憶すべき関連情報と判断された情報である。たとえば、上記の場合（映画等を記録したＢＤの読取中であって、「自車位置を表す情報を用いずに、読取中のＢＤから読取った情報に関連する情報を記憶する」ように設定されている場合）には、その読取中のＢＤの関連情報の有無の確認のみを行う。関連情報の有無の確認は、外部メモリ読取部３７に挿入されている外部メモリ５、および通信部３１を介してサーバ機器３に対して行うことが可能である。関連情報の有無の確認を行なって、関連情報が存在しないと判断する（ステップＳ３）と、ナビゲーション装置１００は、関連情報記憶処理を終了する。
【００６２】
関連情報が存在すると判断した（ステップＳ３）場合、ナビゲーション装置１００は、外部メモリ５またはサーバ機器３から、その関連情報のみを取得できるか否かを判断する（ステップＳ４）。この判断は、サーバ機器３内の、関連情報に関するデータベースを検索して行う。たとえば、サーバ機器３内のデータベースを検索して、読取中のＢＤの関連情報を確認しても、その関連情報と他のＢＤの関連情報とが１つに圧縮されていて、分割して読取中のＢＤの関連情報のみを取得することが不可能な場合がある。また、たとえば、同一のＢＤの関連情報であっても、自車位置の周辺エリアに関する関連情報と他のエリアに関する関連情報とが圧縮されている場合もある。ナビゲーション装置１００は、記憶すべき関連情報のみを取得できる場合には、処理をステップＳ５へと進め、記憶すべき関連情報のみを取得できない場合には、処理をステップＳ６へと進める。
【００６３】
ナビゲーション装置１００は、記憶すべき関連情報のみを取得できる場合には、その関連情報を取得し、ＨＤＤ３８に記憶させる（ステップＳ５）。また、記憶すべき関連情報の取得後であって、その関連情報の記憶を行う前または後において、ＨＤＤ３８に記憶されている他の関連情報を削除することも可能である。たとえば、上記の場合（更新用ＢＤの読取後の場合であって、「以前にＢＤから読取った情報に関連する情報であって、自車位置を表す情報に関連する情報を記憶する」ように設定されている場合）には、そのＢＤの関連情報であって、現在の自車位置を表す情報に関しない関連情報（自車位置周辺以外の、更新地図情報、最新の飲食店地図情報、およびレジャー地図情報等）を、ＨＤＤ３８から削除するように設定することができる。
【００６４】
ナビゲーション装置１００は、記憶すべき関連情報のみを取得できない場合には、その関連情報とともに、記憶すべきではない関連情報もまとめて取得し、取得後に記憶すべき関連情報のみをＨＤＤ３８に記憶させる（ステップＳ６）。たとえば、関連情報をまとめてＨＤＤ３８に記憶させた後に、記憶すべき関連情報を削除するように設定してもよい。また、たとえば、関連情報をまとめてＡＶ側ＲＡＭ２１に一時的に記憶させて、記憶すべき関連情報のみをＡＶ側ＲＡＭ２１から読み出して、ＨＤＤ３８に記憶させるように設定してもよい。
【００６５】
また、ステップＳ６では、ステップＳ５と同様に、ＨＤＤ３８に記憶されている他の関連情報を削除することも可能である。たとえば、上記の場合（映画等を記録したＢＤの読取後の場合であって、「以前にＢＤから読取った情報に関連する情報であって、自車位置を表す情報に関連する情報を記憶する」ように設定されている場合）には、そのＢＤの関連情報であって、現在の自車位置を表す情報に関しない関連情報（その映画を上映中の自車位置周辺以外の映画館、ならびにその映画館周辺の飲食店および駐車エリアの情報など）を、ＨＤＤ３８から削除するように設定することができる。
【００６６】
ステップＳ５またはステップＳ６において、関連情報の記憶等（記憶、削除、更新）が終了すると、関連情報記憶処理は終了する。
【００６７】
上記の実施形態のように、ナビゲーション装置１００が、記憶すべき関連情報であるか否かを判断し、関連情報の記憶等を自動的に行うので、ユーザの操作によらずに、ＨＤＤ３８の記憶領域を効率的に使用することができる。また、ナビゲーション装置１００は、関連情報の記憶を行う前に、判断結果を、表示部３４に表示される文字もしくは画像によって通知したり、スピーカ３５による音声にて通知したりするように設定できる。さらに、ナビゲーション装置１００は、操作部３２を介したユーザの操作、またはマイク３３を介したユーザの音声によって、判断結果として通知された関連情報の中から、記憶させる関連情報を選択して記憶させるように設定することも可能である。このような設定によって、ナビゲーション装置１００によって記憶すべき関連情報として選択された関連情報の中から、さらにユーザが記憶すべき関連情報を判断して選択することが可能となるので、より無駄のない関連情報の処理を行うことができ、ＨＤＤ３８を効率的に使用できる。
【００６８】
次に、本発明の第２実施形態について説明する。図５は、本発明の第２実施形態であるナビゲーション装置２００の電気的構成を模式的に示すブロック図である。ナビゲーション装置２００は、ナビゲーション機能を発揮するためのナビゲーション側制御ユニット１０１と、ＡＶ機能を発揮するためのＡＶ側制御ユニット１０２と、ナビ機能およびＡＶ機能の両方に用いられる各部材１３０〜１３８とを備えている。
【００６９】
以下では、ナビゲーション側制御ユニット１０１、ＡＶ側制御ユニット１０２、および各部材１３０〜１３８について説明する。各部材１３０〜１３８については、ナビ機能およびＡＶ機能の両方の観点から説明する。初めに、ナビ機能に沿って、ナビゲーション側制御ユニット１０１および各部材１３０〜１３８について説明する。
【００７０】
ナビゲーション側制御ユニット１０１は、ナビゲーション側制御部１１０、ナビゲーション側ＲＡＭ１１１、およびナビゲーション側ＲＯＭ１１２を含む。またナビゲーション側制御ユニット１０１は、ＧＰＳレシーバ１３０、通信部１３１、操作部１３２、マイク１３３、表示部１３４、スピーカ１３５、ＢＤデッキ１３６、外部メモリ読取部１３７、および記憶部１３８とそれぞれ電気的に接続される。さらに具体的に述べると、各部材１３０〜１３８とナビ側制御部１１０とが、それぞれ電気的に接続されている。
【００７１】
ＧＰＳレシーバ１３０は、ＧＰＳアンテナ１３０ａを介して、不図示のＧＰＳ用衛星から送信された複数の電波信号を受信する。ＧＰＳレシーバ１３０は、受信した複数の電波信号をナビ側制御部１１０に対して出力する。
【００７２】
通信部１３１には、通信アンテナ１３１ａが電気的に接続されている。通信部１３１は、ナビ側制御部１１０から入力された情報を無線電波信号に変換し、通信アンテナ１３１ａおよび不図示の通信基地局を介して、サーバ機器１３（図６および図７）に送信する。また通信部１３１は、通信基地局および通信アンテナ３１ａを介して、サーバ機器１３から送信される無線電波信号を受信し、受信した無線電波信号をナビ側制御部１１０が読取り可能な情報に変換して、その変換した情報をナビ側制御部１１０に対して出力する。
【００７３】
操作部１３２は、ユーザが操作して所定の情報を入力するためのナビゲーション側操作スイッチを含む。ナビゲーション側操作スイッチは、ユーザによって操作されるスイッチであって、道路地図などの地図情報に基づいて自車位置および地図を表示させて経路案内をさせるためのスイッチである。ユーザによって、ナビゲーション側操作スイッチが操作されると、操作部１３２は、ナビゲーション装置２００への指示情報など、操作に応じた情報を表す信号を生成してナビ側制御部１１０に対して出力する。
【００７４】
マイク１３３には、たとえばユーザによって発せられる音声が入力される。マイク１３３に入力された音声を表す音声情報は、たとえば車両の運転支援のための経路案内処理を行うための予め定める音声情報等であり、ナビ側制御部１１０に対して出力される。
【００７５】
表示部１３４は、たとえばカラー表示可能な液晶ディスプレイ（ＬＣＤ）によって実現され、ナビ側制御部１１０から入力される指令に従って所定の文字および画像の少なくとも一方を表示する。表示部１３４に表示される画像は、たとえば道路地図、車両の位置、運転支援のための経路案内、および観光案内を表す画像などである。
【００７６】
スピーカ１３５は、ナビ側制御部１１０に電気的に接続され、ナビ側制御部１１０から入力される電気信号を音響化して音声を出力する。スピーカ１３５は、ナビ側ＲＯＭ１１２に記憶されている予め定める音声、具体的にはビープ音および合成音声などを出力する。
【００７７】
ＢＤデッキ１３６は、記録媒体の１つであるＢＤに記憶されている情報を読取り、読取った情報をナビ側制御部１１０に対して出力する。ＢＤデッキは、ＢＤ以外の記録媒体であるＣＤおよびＤＶＤを読取ることが可能なマルチデッキであってもよい。ナビゲーション装置２００のナビ機能を使用する場合には、ＢＤデッキ１３６によって、都道府県単位または国単位等の所定の地図情報が記録されたＢＤ（以下「地図ＢＤ」と称する場合がある）を読取らせて、読取った情報をナビ側制御部１１０に対して出力させる。地図情報は、線に関するリンク情報および点に関するノード情報を含む。道路は、１または複数のリンクを順次連結して表され、リンクの端点がノードとなる。リンク情報は、たとえばリンクの長さ寸法、ならびに有料道路、高速道路、および一般道路などの道路種別を含む。ノード情報は各ノードの座標情報を含む。
【００７８】
外部メモリ読取部１３７は、外部記憶手段である外部メモリ１５（図６）を挿入することが可能であり、挿入された外部メモリ１５に記録されている情報を読取り、読取った情報をナビ側制御部１１０に対して出力する。外部メモリ読取部１３７に挿抜可能な外部メモリ１５は、具体的には不揮発性メモリであるＣＦカード、ＳＤメモリカード、メモリスティックおよびスマートメディアなどである。
【００７９】
記憶部１３８は、ＥＰ−ＲＯＭ等の不揮発性の半導体メモリによって実現される。記憶部１３８は、後述するように、サーバ機器１３から送信される関連情報、および外部メモリ１５から出力される関連情報などを記憶する。関連情報については後述する。
【００８０】
ナビ側ＲＯＭ１１２は、たとえばフラッシュＲＯＭによって実現される。ナビ側ＲＯＭ１１２は、各部材１３０〜１３８を統括的に制御してナビ機能を発揮するための制御プログラム、および予め定める音声を記憶する。予め定める音声とは、たとえば運転支援のための経路案内を行うときにスピーカ１３５から出力させるビープ音および合成音声などである。
【００８１】
ナビ側ＲＡＭ１１１は、たとえばＳＤ−ＲＡＭによって実現される。ナビ側ＲＡＭ１１１は、リングバッファ構造によって構成されており、日時が最も古い情報から順次最新の情報に書き換えるようになっている。ナビ側ＲＡＭ１１は、ナビ側制御部１１０によって測定される車両の位置情報などを一時的に記憶する。
【００８２】
ナビ側制御部１１０は、ＣＰＵなどの処理回路によって実現される。ナビ側制御部１１０は、ＧＰＳレシーバ１３０から入力された複数の電波信号に基づいて、車両の現在位置を表す自車位置を測定する。また、ナビ側制御部１１０は、経路案内処理、具体的にはＢＤデッキ１３６によって、地図ＢＤから地図情報を読出して、ユーザによって設定される出発地から、ユーザによって設定される目的地までの経路を探索し、探索された経路に沿って車両が走行するように、車両の現在位置を表す自車位置およびその周辺の地図などを表示部１３４に表示して経路案内を行う。
【００８３】
次に、ＡＶ機能に沿って、ＡＶ側制御ユニット１０２および各部材１３０〜１３８について説明する。
【００８４】
ＡＶ側制御ユニット１０２は、ＡＶ側制御部１２０、ＡＶ側ＲＡＭ１２１、およびＡＶ側ＲＯＭ１２２を含む。またＡＶ側制御ユニット１０２は、ＧＰＳレシーバ１３０、通信部１３１、操作部１３２、マイク１３３、表示部１３４、スピーカ１３５、ＢＤデッキ１３６、外部メモリ読取部１３７、および記憶部１３８とそれぞれ電気的に接続される。さらに具体的に述べると、各部材１３０〜１３８とＡＶ側制御部１２０とが、それぞれ電気的に接続されている。
【００８５】
ＧＰＳレシーバ１３０は、ＧＰＳアンテナ１３０ａを介して、不図示のＧＰＳ用衛星から送信された複数の電波信号を受信する。ＧＰＳレシーバ１３０は、受信した複数の電波信号をＡＶ側制御部１２０に対して出力する。
【００８６】
通信部１３１には、通信アンテナ１３１ａが電気的に接続されている。通信部１３１は、ＡＶ側制御部１２０から入力された情報を無線電波信号に変換し、通信アンテナ１３１ａおよび不図示の通信基地局を介して、サーバ機器１３に送信する。また通信部１３１は、通信基地局および通信アンテナ１３１ａを介して、サーバ機器１３から送信される無線電波信号を受信し、受信した無線電波信号をＡＶ側制御部１２０が読取り可能な情報に変換して、その変換した情報をＡＶ側制御部１２０に対して出力する。
【００８７】
操作部１３２は、ユーザが操作して所定の情報を入力するためのＡＶ側操作スイッチを含む。ＡＶ側操作スイッチは、映像および音楽などのＡＶ情報を表示させたり、変更させたりするために、ユーザによって操作されるスイッチである。ユーザによって、ＡＶ側操作スイッチが操作されると、操作部１３２は、ナビゲーション装置２００への指示情報など、操作に応じた情報を表す信号を生成してＡＶ側制御部１２０に対して出力する。
【００８８】
マイク１３３には、たとえばユーザによって発せられる音声が入力される。マイク１３３に入力された音声を表す音声情報は、ＡＶ側制御部１２０に対して出力される。
【００８９】
表示部１３４は、ＡＶ側制御部１２０から入力される指令に従って所定の文字および画像の少なくとも一方を表示する。表示部１３４に表示される画像は、たとえばＢＤデッキ１３６によってＢＤから読取られたＡＶ情報中の画像などである。
【００９０】
スピーカ１３５は、ＡＶ側制御部１２０に電気的に接続され、ＡＶ側制御部１２０から入力される電気信号を音響化して出力する。スピーカ１３５は、たとえば、ＢＤデッキ１３６によってＢＤから読取られたＡＶ情報中の音を出力する。
【００９１】
ＢＤデッキ１３６は、ＢＤに記憶されている情報を読取り、読取った情報をＡＶ側制御部１２０に対して出力する。たとえば、ＢＤデッキ１３６は、映像および音楽などが記憶されているＢＤを読取り、読取った情報をＡＶ側制御部１２０に対して出力する。
【００９２】
外部メモリ読取部１３７は、挿入された外部メモリ１５に記録されている情報を読取り、読取った情報をＡＶ側制御部１２０に対して出力する。
【００９３】
記憶部１３８は、後述するように、サーバ機器１３から送信される関連情報、および外部メモリから出力される関連情報などを記憶する。関連情報については後述する。
【００９４】
ＡＶ側ＲＯＭ１２２は、たとえばフラッシュＲＯＭによって実現される。ＡＶ側ＲＯＭ１２２は、各部材１３０〜１３８を統括的に制御してＡＶ機能を発揮するための制御プログラム、および後述する関連情報記憶プログラムを記憶する。
【００９５】
ＡＶ側ＲＡＭ１２１は、たとえばＳＤ−ＲＡＭによって実現される。ＡＶ側ＲＡＭ１２１は、リングバッファ構造によって構成されており、日時が最も古い情報から順次最新の情報に書き換えるようになっている。ＡＶ側ＲＡＭ１２１は、ＡＶ側制御部１２０から入力されたＡＶ情報などを一時的に記憶する。
【００９６】
ＡＶ側制御部１２０は、ＣＰＵなどの処理回路によって実現される。ＡＶ側制御部１２０は、映像および音楽などのＡＶ情報に基づいて、文字もしくは画像の表示、または音の再生などを同時にまたは独立して行う。
【００９７】
本実施形態では、ナビゲーション側制御ユニット１０１の処理の高速化および負担の軽減のために、ＡＶ情報の制御および後述する関連情報記憶処理は、ＡＶ側制御ユニット１０２で行なうけれども、１つの実施形態中に必ずしも制御ユニットが２つである必要はない。
【００９８】
上記のナビゲーション装置２００は、ＢＤデッキ１３６に挿入されているＢＤから読取った情報に関連する情報（以下、「ＢＤの関連情報」または単に「関連情報」と称する場合がある）を、記憶部１３８に記憶させることができる。関連情報は、サーバ機器１３、または外部メモリ読取部１３７に挿入されている外部メモリ１５から取得される。
【００９９】
関連情報の記憶、削除および更新を行う処理である関連情報記憶処理は、ＡＶ側ＲＯＭ１２２に記憶されている関連情報記憶プログラムが実行されることによって、ＡＶ側制御ユニット１０２およびＢＤデッキ１３６を、記録媒体を読取る記録媒体読取手段として、ＡＶ側制御ユニット１０２および通信部１３１、またはＡＶ側制御ユニット１０２および外部メモリ読取部１３７を、関連情報を取得する関連情報取得手段として、記憶部１３８を、関連情報を記憶する不揮発性の記憶手段として、ＡＶ側制御ユニット１０２を、関連情報を変更する関連情報変更手段として、ならびに関連情報の記憶を行うか否かおよび関連情報の変更を行うか否かを判断する判断手段として、表示部１３４およびスピーカ１３５の少なくとも一方を、ユーザに対して通知を行う通知手段として、通信部１３１および通信アンテナ１３１ａを、サーバ機器１３との通信を行う通信手段として、ＡＶ側制御ユニット１０２および外部メモリ読取部１３７を、外部メモリ１５を読取る外部記憶手段読取手段として、操作部１３２およびマイク１３３の少なくとも一方を、ユーザによる関連情報取得指示を入力するための指示入力手段として、およびユーザによる目的地を入力するための目的地入力手段として、ＧＰＳレシーバ１３０およびＧＰＳアンテナ１３０ａを自車位置の情報を取得する現在位置情報取得手段として、それぞれ機能させて行われる。
【０１００】
以下では、ナビゲーション装置２００の関連情報記憶処理を、図６〜図８を用いて説明する。図６は、関連情報がどのように記憶されるかを簡略的に示す図である。図６に示すようにサーバ機器１３から送信された関連情報１８ｄは、ナビゲーション装置２００に直接受信されるか、ＰＣ１４に受信され、外部メモリ１５を介して、ナビゲーション装置２００に入力される。記憶部１３８には以前に読取ったＢＤ１６ａ〜１６ｄを示す情報１７ａ〜１７ｄが記憶されており、ＢＤ１６ａ〜１６ｃを示す情報１７ａ〜１７ｃと、以前に記憶した関連情報１８ａ〜１８ｃとがそれぞれ関連付けられて記憶されている。図６に示すように、新たに取得された関連情報１８ｄは、ＢＤ１６ｄを示す情報１７ｄと関連付けられて記憶部１３８に記憶される。
【０１０１】
上記のような関連情報の記憶は、関連情報記憶トリガの認識によって開始される。すなわち、ナビゲーション装置２００は、関連情報記憶トリガを認識することによって、記憶部１３８に記憶されている、読取りを行なったＢＤの情報から、そのＢＤの関連情報がサーバ機器１３および外部メモリ１５に存在するか否かを確認し、関連情報が存在する場合にはその関連情報を記憶部１３８に記憶させる。
【０１０２】
関連情報記憶トリガには以下のようなものがある。たとえば、ユーザによる操作部１３２を介した操作、またはユーザによるマイク１３３を介した特定の音声の入力などの、ユーザの直接の操作による関連情報取得指示入力である。また、たとえば、ＢＤデッキ１３６によるＢＤ読取開始時、たとえばＢＤのシリアルナンバーの読取時など、またはＢＤデッキ１３６によるＢＤ読取中、たとえば特定の文字、画像、および音の、読取時または表示部１３４もしくはスピーカ１３５による出力時など、またはＧＰＳアンテナ１３０ａを用いて測定される自車位置を表す情報の変更時、たとえば自車位置が存在する市もしくは都道府県などのエリアの変更時、または自車位置の特定距離の移動時などの、ユーザの間接の操作によるものである。
【０１０３】
上記のトリガにおける、特定の音声、特定の文字、画像、および音、ならびに特定距離は、ユーザによって設定することが可能である。たとえば、特定距離を５０ｋｍ〜１００ｋｍの範囲から選択し、自車位置がその特定距離移動することを関連情報記憶トリガとすることができる。また、関連情報記憶トリガは、上記のトリガの中から複数選んで設定することも可能である。このような設定は、関連情報の記憶に関する設定情報として、記憶部１３８に記憶できる。また、以下において説明する各種の設定も関連情報の記憶に関する設定情報として、記憶部１３８に記憶できる。
【０１０４】
また図７に示すように、ナビゲーション装置２００は、関連情報を取捨選択して記憶することが可能である。図７に示す車両１９は、ナビゲーション装置２００を備えており、ＢＤデッキ１３６には、ＢＤ１６ｆが挿入され読取中である。またＢＤデッキ１３６では、以前にＢＤ１６ｅが読取られたことがある。よって記憶部１３８には、ＢＤ１６ｅを示す情報およびＢＤ１６ｆを示す情報が記憶されている。また記憶部１３８には、ＢＤ１６ｅを示す情報と関連付けられて、ａエリアに関する関連情報１８０ａｅが記憶されている。関連情報１８０ａｅは、ＢＤ１６ｅの関連情報１８ｅの１つである。ＢＤ１６ｆを示す情報と関連付けられて、ａエリアに関する関連情報１８０ａｆと、ｂエリアに関する関連情報１８０ｂｆと、ｃエリアに関する関連情報１８０ｃｆとが記憶されている。関連情報１８０ａｆ，１８０ｂｆ，１８０ｃｆはそれぞれ、ＢＤ１６ｆの関連情報１８ｆの１つである。
【０１０５】
またナビゲーション装置２００に備えられるＧＰＳアンテナ１３０ａから、車両１９の位置がｂエリア内であることがナビ側ＲＡＭ１１１に記憶されている。また、図３に示すサーバ機器１３には、ａエリアに関する関連情報１８１ａｅが記憶されている。関連情報１８１ａｅは、ＢＤ１６ｅの関連情報１８ｅの１つである。またサーバ機器１３には、ａエリアに関する関連情報１８１ａｆ、ｂエリアに関する関連情報１８１ｂｆ、およびｃエリアに関する関連情報１８１ｃｆが記憶されている。関連情報１８１ａｆ，１８１ｂｆ，１８１ｃｆはそれぞれ、ＢＤ１６ｆの関連情報１８ｆの１つである。
【０１０６】
図７に示す状態で関連情報記憶トリガが認識された場合に、ナビゲーション装置２００は、ｂエリアに関する関連情報１８１ｂｆのみを記憶させることが可能である。すなわち、ナビゲーション装置２００は、読取中のＢＤ１６ｆの関連情報であって、車両１９が存在するｂエリアに関する情報である、関連情報１８１ｂｆを記憶部１３８に記憶する。図７に示すように、関連情報１８０ｂｆと、関連情報１８１ｂｆとがバージョンの異なる関連情報である場合には、関連情報１８０ｂｆが削除されて、関連情報１８１ｂｆが記憶される。すなわち、関連情報１８０ｂｆが更新されて、関連情報１８１ｂｆとなる。
【０１０７】
また図７に示すように、ナビゲーション装置２００は、読取中のＢＤ１６ｆの関連情報であって、車両１９が存在しないａエリアまたはｃエリアに関する情報である、関連情報１８０ａｆ，１８０ｃｆを記憶部１３８から削除することも可能である。
【０１０８】
このように、ナビゲーション装置２００は、関連情報を記憶させたり、変更（削除または更新）させたりすることができる。また、このような関連情報の記憶および変更は、図７に示す例に限られない。
【０１０９】
たとえば、映画等を記録したＢＤの読取中の場合、「自車位置を表す情報を用いずに、読取中のＢＤから読取った情報に関連する情報を記憶する」ように設定しておくことで、そのＢＤの関連情報（特典映像、またはそのＢＤに含まれる特典映像を視聴するためのパスワードなど）を取得し、記憶部１３８に記憶させることができる。また、読取中ではないＢＤの関連情報が記憶部１３８に記憶されていれば削除することもできる。
【０１１０】
また、映画等を記録したＢＤの読取後の場合に、「以前にＢＤから読取った情報に関連する情報であって、自車位置を表す情報に関連する情報を記憶する」ように設定しておくことで、そのＢＤの関連情報（その映画を上映中の自車位置周辺の映画館、ならびにその映画館周辺の飲食店および駐車エリアの情報など）を、記憶部１３８に記憶させることも可能である。また、以前にＢＤから読取った情報に関連する情報であって、自車位置を表す情報に関連しない情報が記憶部１３８に記憶されていれば削除することもできる。
【０１１１】
また、映画等を記録したＢＤの読取後の場合に、「以前にＢＤから読取った情報に関連する情報であって、ユーザによって入力された目的地情報に関連する情報を記憶する」ように設定しておくことで、そのＢＤの関連情報（その映画を上映中の目的地周辺の映画館、ならびにその映画館周辺の飲食店および駐車エリアの情報など）を、記憶部１３８に記憶させることも可能であり、その場合には、ＧＰＳレシーバ１３０およびＧＰＳアンテナ１３０ａを用いる必要はない。また、以前にＢＤから読取った情報に関連する情報であって、ユーザによって入力された目的地情報に関連しない情報が記憶部１３８に記憶されていれば削除することもできる。
【０１１２】
また、たとえば、地図ＢＤの読取中の場合、「自車位置を表す情報を用いずに、読取中のＢＤから読取った情報に関連する情報を記憶する」ように設定しておくことで、そのＢＤの関連情報（追加言語対応用プログラムなど、またはその地図ＢＤが複数枚の地図ＢＤの１つである場合には、その地図ＢＤに含まれるエリアに関連する更新地図情報、最新の飲食店地図情報、およびレジャー地図情報等）を取得し、記憶部１３８に記憶させることができる。また、読取中ではないＢＤの関連情報が記憶部１３８に記憶されていれば削除することもできる。
【０１１３】
また、地図ＢＤの読取後の場合に、「以前にＢＤから読取った情報に関連する情報であって、自車位置を表す情報に関連する情報を記憶する」ように設定しておくことで、そのＢＤの関連情報（自車位置周辺の、更新地図情報、最新の飲食店地図情報、およびレジャー地図情報等）を、記憶部１３８に記憶させることも可能である。また、以前にＢＤから読取った情報に関連する情報であって、自車位置を表す情報に関連しない情報が記憶部１３８に記憶されていれば削除することもできる。
【０１１４】
また、地図ＢＤの読取後の場合に、「以前にＢＤから読取った情報に関連する情報であって、ユーザによって入力された目的地情報に関連する情報を記憶する」ように設定しておくことで、そのＢＤの関連情報（目的地周辺の、更新地図情報、最新の飲食店地図情報、およびレジャー地図情報等）を、記憶部１３８に記憶させることも可能であり、その場合には、ＧＰＳレシーバ１３０およびＧＰＳアンテナ１３０ａを用いる必要はない。また、以前にＢＤから読取った情報に関連する情報であって、ユーザによって入力された目的地情報に関連しない情報が記憶部１３８に記憶されていれば削除することもできる。
【０１１５】
上述したように、ナビゲーション装置２００は、ＢＤを読取中であるか否かの情報、自車位置を表す情報、および目的地情報の少なくとも１つの情報から、記憶部１３８に記憶させる関連情報と、記憶部１３８に記憶させない関連情報とを判断することが可能である。どの情報を用いて判断を行うかは、ユーザによって設定することができる。また、自車位置および目的地の少なくとも一方の周辺エリアに関する関連情報を記憶させる場合には、周辺エリアを市および都道府県などの領域で設定したり、自車位置または目的地から一定の距離の領域に設定したりできる。
【０１１６】
このように、ナビゲーション装置２００は、ＢＤの関連情報のうち、記憶すべき関連情報であると判断された関連情報のみを記憶部１３８に記憶させるので、記憶部１３８が使用する記憶領域を少なくすることができる。また、関連情報の取得の機会を減少させることができるので、関連情報の取得に伴う、ＡＶ側制御ユニット１０２、通信部１３１、および外部メモリ読取部１３７の負荷を軽減することができる。
【０１１７】
図８は、ナビゲーション装置２００の、上述した関連情報記憶処理を表すフローチャートである。ナビゲーション装置２００は、上記の関連情報記憶トリガを認識する（ステップＳ１１）と、関連情報の有無の確認を行う（ステップＳ１２）。有無の確認が行われるのは、ナビゲーション装置２００によって、記憶すべき関連情報と判断された情報である。たとえば、上記の場合（映画等を記録したＢＤの読取中であって、「自車位置を表す情報を用いずに、読取中のＢＤから読取った情報に関連する情報を記憶する」ように設定されている場合）には、その読取中のＢＤの関連情報の有無の確認のみを行う。関連情報の有無の確認は、外部メモリ読取部１３７に挿入されている外部メモリ１５、および通信部１３１を介してサーバ機器１３に対して行うことが可能である。関連情報の有無の確認を行なって、関連情報が存在しないと判断する（ステップＳ１３）と、ナビゲーション装置２００は、関連情報記憶処理を終了する。
【０１１８】
関連情報が存在すると判断した（ステップＳ１３）場合、ナビゲーション装置２００は、外部メモリ１５またはサーバ機器１３から、その関連情報のみを取得できるか否かを判断する（ステップＳ１４）。この判断は、サーバ機器１３内の、関連情報に関するデータベースを検索して行う。たとえば、サーバ機器１３内のデータベースを検索して、読取中のＢＤの関連情報を確認しても、その関連情報と他のＢＤの関連情報とが１つに圧縮されていて、分割して読取中のＢＤの関連情報のみを取得することが不可能な場合がある。また、たとえば、同一のＢＤの関連情報であっても、自車位置の周辺エリアに関する関連情報と他のエリアに関する関連情報とが圧縮されている場合もある。ナビゲーション装置２００は、記憶すべき関連情報のみを取得できる場合には、処理をステップＳ１５へと進め、記憶すべき関連情報のみを取得できない場合には、処理をステップＳ１６へと進める。
【０１１９】
ナビゲーション装置２００は、記憶すべき関連情報のみを取得できる場合には、その関連情報を取得し、記憶部１３８に記憶させる（ステップＳ１５）。また、記憶すべき関連情報の取得後であって、その関連情報の記憶を行う前または後において、記憶部１３８に記憶されている他の関連情報を削除することも可能である。たとえば、上記の場合（地図ＢＤの読取後の場合であって、「以前にＢＤから読取った情報に関連する情報であって、自車位置を表す情報に関連する情報を記憶する」ように設定されている場合）には、そのＢＤの関連情報であって、現在の自車位置を表す情報に関しない関連情報（自車位置周辺以外の、更新地図情報、最新の飲食店地図情報、およびレジャー地図情報等）を、記憶部１３８から削除するように設定することができる。
【０１２０】
ナビゲーション装置２００は、記憶すべき関連情報のみを取得できない場合には、その関連情報とともに、記憶すべきではない関連情報もまとめて取得し、取得後に記憶すべき関連情報のみを記憶部１３８に記憶させる（ステップＳ１６）。たとえば、関連情報をまとめて記憶部１３８に記憶させた後に、記憶すべき関連情報を削除するように設定してもよい。また、たとえば、関連情報をまとめてＡＶ側ＲＡＭ１２１に一時的に記憶させて、記憶すべき関連情報のみをＡＶ側ＲＡＭ１２１から読み出して、記憶部１３８に記憶させるように設定してもよい。
【０１２１】
また、ステップＳ１６では、ステップＳ１５と同様に、記憶部１３８に記憶されている他の関連情報を削除することも可能である。たとえば、上記の場合（映画等を記録したＢＤの読取後の場合であって、「以前にＢＤから読取った情報に関連する情報であって、自車位置を表す情報に関連する情報を記憶する」ように設定されている場合）には、そのＢＤの関連情報であって、現在の自車位置を表す情報に関しない関連情報（その映画を上映中の自車位置周辺以外の映画館、ならびにその映画館周辺の飲食店および駐車エリアの情報など）を、記憶部１３８から削除するように設定することができる。
【０１２２】
ステップＳ１５またはステップＳ１６において、関連情報の記憶等が終了すると、関連情報記憶処理は終了する。
【０１２３】
上記の第２実施形態のように、ナビゲーション装置２００が、記憶すべき関連情報であるか否かを判断し、関連情報の記憶等を自動的に行うので、ユーザの操作によらずに、ＨＤＤ１３８の記憶領域を効率的に使用することができる。また、ナビゲーション装置２００は、関連情報の記憶を行う前に、判断結果を、表示部１３４に表示される文字もしくは画像によって通知したり、スピーカ１３５による音声にて通知したりするように設定できる。さらに、ナビゲーション装置２００は、操作部１３２を介したユーザの操作、またはマイク１３３を介したユーザの音声によって、判断結果として通知された関連情報の中から、記憶させる関連情報を選択して記憶させるように設定することも可能である。このような設定によって、ナビゲーション装置２００によって記憶すべき関連情報として選択された関連情報の中から、さらにユーザが記憶すべき関連情報を判断して選択することが可能となるので、より無駄のない関連情報の処理を行うことができ、記憶部１３８を効率的に使用できる。
【０１２４】
また、上記第２実施形態のナビゲーション装置２００は、第１実施形態のナビゲーション装置１００とは異なり、記憶容量が大きいＨＤＤ３８を備えておらず、ＨＤＤ３８より記憶容量の小さな、たとえば数百ＭＢ（Mega Byte）から数ＧＢ（Giga Byte）の記憶容量である記憶部１３８に関連情報を記憶するので、関連情報の取捨選択を行うことで記憶領域を効率的に使用できるという本発明の効果はより顕著になる。
【図面の簡単な説明】
【０１２５】
【図１】ナビゲーション装置１００の電気的構成を模式的に示すブロック図である。
【図２】ナビゲーション装置１００に、関連情報がどのように記憶されるかを簡略的に示す図である。
【図３】ナビゲーション装置１００の、関連情報の取捨選択の様子を示す図である。
【図４】ナビゲーション装置１００の、関連情報記憶処理を表すフローチャートである。
【図５】ナビゲーション装置２００の電気的構成を模式的に示すブロック図である。
【図６】ナビゲーション装置２００に、関連情報がどのように記憶されるかを簡略的に示す図である。
【図７】ナビゲーション装置２００の、関連情報の取捨選択の様子を示す図である。
【図８】ナビゲーション装置２００の、関連情報記憶処理を表すフローチャートである。
【符号の説明】
【０１２６】
１，１０１  ナビゲーション側制御ユニット
２，１０２  ＡＶ側制御ユニット
３，１３  サーバ機器
５，１５  外部メモリ
１０，１１０  ナビゲーション側制御部
１１，１１１  ナビゲーション側ＲＡＭ
１２，１１２  ナビゲーション側ＲＯＭ
２０，１２０  ＡＶ側制御部
２１，１２１  ＡＶ側ＲＡＭ
２２，１２２  ＡＶ側ＲＯＭ
３０，１３０  ＧＰＳレシーバ
３０ａ，１３０ａ  ＧＰＳアンテナ
３１，１３１  通信部
３１ａ，１３１ａ  通信アンテナ
３２，１３２  操作部
３３，１３３  マイク
３４，１３４  表示部
３５，１３５  スピーカ
３６，１３６  ＢＤデッキ
３７，１３７  外部メモリ読取部
３８  ＨＤＤ
１００，２００  ナビゲーション装置
１３８  記憶部
【図１】
2010154136.tif 000003
【図２】
2010154136.tif 000004
【図３】
2010154136.tif 000005
【図４】
2010154136.tif 000006
【図５】
2010154136.tif 000007
【図６】
2010154136.tif 000008
【図７】
2010154136.tif 000009
【図８】
2010154136.tif 000010